(57)【要約】【課題】  集金業務をスピディーに行うために、集金時には集金袋の取り替えがワンタッチでき、集金作業の軽減かできる硬貨計数装置を得る。【解決手段】  投入された硬貨を受け入れて排出する開口を有する硬貨投入部１０と、該硬貨投入部の前記開口に連接する位置に貯留部を有し該貯留部内の硬貨を計数して排出する排出口を有する硬貨払出機２４と、該硬貨払出機の排出口２４ｄから排出された硬貨が落下する範囲の平面を囲み、該排出口２４ｄから排出された硬貨を収納する集金袋４３を開口させ折り返えして取付ける略環状の取付体と、該集金袋の開口部４３ａを該取付体４２に押付けて保持させる保持体４４とを有する硬貨計数装置。【選択図】  図８
2005128974.tif 000002
【特許請求の範囲】
【請求項１】
底部にキャスタを設けた移動自在なキャビネットと、
キャビネット上面に水平に開閉自在に設けた天板と、
該天板を開いたキャビネットの上面に設けられた投入された硬貨を受け入れて排出する開口を有する硬貨投入部と、
該硬貨投入部の下方のキャビネット内に水平に設けた取付板と、
該硬貨投入部の前記開口に連接する位置に貯留部を有し該貯留部内の硬貨を計数して排出する排出口を有する前記取付板上に設けた硬貨払出機と、
前記取付板に固定され該硬貨払出機の排出口から排出された硬貨が落下する範囲の平面を囲み、該排出口から排出された硬貨を収納する集金袋を開口させ折り返して取付ける略環状の取付体、
該集金袋の開口部を該取付体に保持させる保持体と、
該取付体の下方位置のキャビネット内に取り外し可能に設けた棚体と、
を有することを特徴とする硬貨計数装置。
【請求項２】
投入された硬貨を受け入れて排出する開口を有する硬貨投入部と、
該硬貨投入部の前記開口に連接する位置に貯留部を有し該貯留部内の硬貨を計数して排出する排出口を有する硬貨払出機と、
該硬貨払出機の排出口から排出された硬貨が落下する範囲の平面を囲み、該排出口から排出された硬貨を収納する集金袋を開口させて折り返して取付け略環状の一部が縦方向に切割になっている取付体と、
該集金袋の開口部を該取付体に保持させる保持体と、
該取付体から保持体を取り外して該取付体の切割から集金袋を水平方向に取り外せる該切割に連なる空間を有することを特徴とする硬貨計数装置。
【請求項３】
請求項１または２において、取付体の略環状の周囲長は集金袋の開口の周囲と略同一であることを特徴とする硬貨計数装置。
【請求項４】
請求項１乃至３のいずれか１つにおいて、取付体の下方には取付体に取付けられ、保持体により該取付体に押圧され保持された集金袋が硬貨払出機から排出される硬貨を開口から蓄積するに従い該集金袋が膨らむことができる空間を有することを特徴とする硬貨計数装置。
【請求項５】
請求項２乃至４のいずれか1つにおいて、硬貨計数装置はさらに集金袋を保持するために集金袋の底部を支える位置に棚体を有する、
ことを特徴とする硬貨計数装置。
【請求項６】
請求項１または５の棚体は、集金袋の底の深さに合わせて、取り付け位置を替えることができるように取り外し可能に保持されることを特徴とする、
硬貨計数装置。
【請求項７】
請求項２乃至６のいずれか１つの硬貨計数装置は、さらにキャビネットに組込まれ、キャビネトの天井部に開閉可能に設けた天板部と、
該天板を開閉することで現われる硬貨投入部と、硬貨投入部に投入した硬貨を計数させる操作を行う操作卓と、
該キャビネットを移動自在にするために設けた移動手段と、
を有することを特徴とする硬貨計数装置。
【請求項８】
請求項１または７において、天板はキャビネットの上面に水平に配置され、天板の開閉は兆番構造により開閉されると共に硬貨計数を行うためにバッテリーを搭載したことを特徴とする硬貨計数装置。
【発明の詳細な説明】
【技術分野】
【０００１】
本発明は、商業施設等において、単一の硬貨を取り扱う複数台の硬貨動作式装置が設置してある場所での集金作業に用いられ、移動しながら各硬貨動作式装置の現金収納庫から硬貨を回収してその場で計数し、硬貨を集金袋に詰める硬貨計数装置に関する。
【背景技術】
【０００２】
現在、ゲームセンターや遊園地等のアミューズメント施設の経営上、ゲーム機に投入された硬貨を回収する業務が大きな負担となっている。
複数台の硬貨式動作装置、例えばアミューズメント機器の現金回収業務は、閉店後に店内の各アミューズメント機器毎に機械名、機械コード、機械番号、前回の集金日及びコインメータ数、売上金額が記載されたメータカードと、集金袋を用意することから始まる。
集金者は鍵を用いて、アミューズメント機器のドアを開き中にあるコインメータを読み取り、メータカードに書き取り、キャッシュボックスを取り出して、用意した集金袋に売上金を入れるとともに該メータカードを一緒に入れて袋の口を紐でしばる。
【０００３】
このようにして全てのアミューズメント機器から現金を回収して、全ての集金袋を事務所に運び、事務所に設置したコインカウンタを用いて各集金袋毎に硬貨を計数して、メータカードに計数した金額を書き込み、全ての集金袋の計数を行なう。そして最後にメータカードを見ながら伝票を作成するのである。
【０００４】
この集金回収、集計作業を改善すべく、作業の能率化と時間の短縮化及び諸々のミスが生じることがなく、さらに、設置されている機器、装置類の稼動状況までも容易に把握することができるものとして、移動用台車と、その移動用台車に設置されたケーシングと、そのケーシングに搭載された重量計測式の個数計測器と、前記ケーシング上に開口される複数個の金種別貯留部と各種機器と対応するバーコードリーダーと、メモリー及び演算回路と電気的に接続されたプリンターとを有している硬貨用集金装置が提案されている（例えば、特許文献１参照）。
【０００５】
また、現金を回収すると同時にその計数作業も行なうことができるようにするものとして、自在移動可能な自走タイプの移動車に、紙幣計数機及び硬貨計数機を積載し、更に、計数後の紙幣、硬貨を金種ごとに収容する金庫を積載してなり、紙幣、硬貨を回収しつつ計数して表示部にその結果を表示し、金種ごとに金庫に収納する現金回収機が提案されている（例えば、特許文献２参照）。
【０００６】
さらに、アミューズメント機器用の台車タイプの集金台車として、日本ユニカ株式会社からバーコードと無線ＬＡＮシステムの組合せによって、カウンタの記帳や計算などの面倒な作業を一切削除し、集金者はバーコードを読ませて硬貨を投入するだけで集金を行うことができるものがコイン・エクスプレスという商品名で発売されている（例えば、特許文献３参照）。
【０００７】
【特許文献１】実開平７−３０５４号公報（第２頁、図１）
【特許文献２】特開平８−１８０２４７号公報（第３頁、図１）
【特許文献３】特開２０００−６１１２４号公報（第４頁、図２）
【発明の開示】
【発明が解決しようとする課題】
【０００８】
現金の回収業務を人手のみで行う場合には、多数の機械から現金とメータカードを用意した多数の集金袋に入れ、事務所に運び込み集計することになり、重い集金袋を全て運び込むのはかなりの重労働であり、また時間もかかるのであった。
【０００９】
特許文献１では、硬貨を計数するのは枚数を計数するのではなく、硬貨の総量を重さで測る方式であり、所謂、金額を目方で計るどんぶり勘定であり、硬貨の重さに一定の許容範囲があることからして、正確性に欠けるといわざるを得ない。
【００１０】
特許文献２に示す現金回収機では、移動車に紙幣識別機、硬貨計数機を備えており、それぞれ複数種の金種毎に計数して各金庫に収納するようになっている。
これは主としてパチンコ店の通路を移動できるようにコンパクトにしてあるが、紙幣識別機及び硬貨計数を備えていることから、貨幣が複数種類ある場合には便利であるが、単一種の貨幣のみを取り扱うには甚だ過剰スペックであり、その分価格が割高となり、複数種の貨幣分の装置を内蔵しているので、構造が複雑になり、その分重くなるという欠点がある。
【００１１】
特許文献３に示す集金台車では、集金者は集金対象の機械のバーコードを読ませて硬貨を投入するだけで集金を行うことができるのであるが、この前提として、各機械毎にバーコードを設定する必要があり、機械の入れ替え毎にバーコードの管理も必要となってしまい、その集金システムを構築するためにはかなりの先行投資が必要となってしまうのである。
【００１２】
本願出願人は上述した従来技術の課題を踏まえつつ、現金回収業務の能率化を図るにあたり、多大な先行投資が不要なシンプルな構造の硬貨計数装置を提供することを目的として本発明を開示する。
【００１３】
さらに本願は上記に記載した様々な課題を解決することを目的として既存の部品をなるべく用いた安価な集金用カートを提供して、集金業務を効率化するために発明された。
【課題を解決するための手段】
【００１４】
本発明は上記した課題を解決するために、底部にキャスタを設けた移動自在なキャビネットと、キャビネット上面に水平に開閉自在に設けた天板と、該天板を開いたキャビネットの上面に設けられた投入された硬貨を受け入れて排出する開口を有する硬貨投入部と、該硬貨投入部の下方のキャビネット内に水平に設けた取付板と、該硬貨投入部の前記開口に連接する位置に貯留部を有し該貯留部内の硬貨を計数して排出する排出口を有する前記取付板上に設けた硬貨払出機と、前記取付板に固定され該硬貨払出機の排出口から排出された硬貨が落下する範囲の平面を囲み、該排出口から排出された硬貨を収納する集金袋を開口させ折り返して取付ける略環状の取付体、該集金袋の開口部を該取付体に保持させる保持体と、該取付体の下方位置のキャビネット内に取り外し可能に設けた棚体とを有する硬貨計数装置としてある。
【００１５】
これにより移動自在なキャビネットの上面の天板を開き、硬貨投入部に投入された硬貨は硬貨投入部の開口から硬貨払出機の貯留部に排出され、硬貨払出機にて硬貨を計数して排出口に排出された硬貨は、取付体により開口された集金袋に収納される。集金袋が収納された硬貨により重くなっても集金袋は保持体と棚に保持されており、集金袋に予定枚数の硬貨を収納できる。
【００１６】
さらに本発明は上記した課題を解決するために、投入された硬貨を受け入れて排出する開口を有する硬貨投入部と、該硬貨投入部の前記開口に連接する位置に貯留部を有し該貯留部内の硬貨を計数して排出する排出口を有する硬貨払出機と、該硬貨払出機の排出口から排出された硬貨が落下する範囲の平面を囲み、該排出口から排出された硬貨を収納する集金袋を開口させて折り返して取付け略環状の一部が縦方向に切割になっている取付体と、該集金袋の開口部を該取付体に押付ける等して保持させる保持体と、該取付体から保持体を取り外して該取付体の切割から集金袋を水平方向に取り外せる該切割に連なる空間を有する硬貨計数装置としてある。
【００１７】
これにより硬貨投入部に投入された硬貨は硬貨投入部の開口から硬貨払出機の貯留部に排出され、硬貨払出機にて硬貨を計数して排出口に排出された硬貨は、取付体により開口された集金袋に収納される。集金袋が収納された硬貨により重くなっても保持体により固定されており、集金袋に予定枚数の硬貨を収納することができ、集金袋は取付体の切割とそれに連なる空間から水平に取出すことが可能になっている。
【００１８】
本願発明は上記した課題を解決するために、上記において取付体の略環状の周囲長は集金袋の開口の周囲と略同一であることを特徴とする硬貨計数装置としてある。
これにより、集金袋がきっちりと口を開けることができ、硬貨払出機から排出される硬貨を収納することができる。
【００１９】
さらに本願発明で上記した課題を解決するために、上記において取付体の下方には取付体に取付けられ、保持体により該取付体に押圧され保持された集金袋が硬貨払出機から排出される硬貨を開口から蓄積するに従い該集金袋が膨らむことができる空間を有する硬貨計数装置としてある。
これにより、集金袋に設定した枚数の硬貨が集金袋に蓄積されていく際に集金袋が膨らむことができ、確実に設定した枚数の硬貨を収納される。
【００２０】
さらに本願発明では上記課題を解決するために、上記の硬貨計数装置はさらに集金袋を保持するために集金袋の底部を支える棚体を有する硬貨計数装置としてある。
これにより、集金袋に硬貨が貯まり重くなっても取付体から集金袋が外れることなく、硬貨を集金袋に確実に収納することができるのである。
【００２１】
さらに本願発明では上記課題を解決するために、上記の棚体は、集金袋の底の深さに合わせて、取り付け位置を替えることができるように取り外し可能に保持される硬貨計数装置としてある。
これにより、集金袋の底の深さが深くなって大量の硬貨を集金袋に収納する場合でも集金袋が取付体から外れることなく、最後まで硬貨を収納することができるのである。
【００２２】
さらに本願発明では上記いずれかの１つの硬貨計数装置において、さらにキャビネットに組込まれ、キャビネトの天井部に開閉可能に設けた天板部と、該天板を開閉することで現われる硬貨投入部と、硬貨投入部に投入した硬貨を計数させる操作を行う操作卓と、該キャビネットを移動自在にするために設けた移動手段とを有する硬貨計数装置としてある。
【００２３】
これにより本願硬貨計数装置は移動可能になり、集金する対象物の近くまで移動することが可能で、場所を変えながら夫々の場所で硬貨を計数して集金して廻ることができる。
【００２４】
さらに本願発明では上記発明において、天板はキャビネットの上面に水平に配置され、天板の開閉は兆番構造により開閉されると共に硬貨計数を行なうためにバッテッリーを搭載した硬貨計数装置としてある。
これにより、硬貨を計数しない場合はテーブルの替わりに使え、さらに集金時には記載台としも役立つのである。
【発明の効果】
【００２５】
本発明の硬貨計数装置は、集金業務を迅速に行うことができ、多数の集金袋を用意して、集金袋を事務所に運ぶ重労働から開放される。さらに集金時には集金袋の取り替えが簡単にできて大変便利で、集金業務の軽減が図れるのである。
さらに本硬貨計数装置は既存の製品をなるべく使いコンパクトに作られており、本硬貨計数装置を使用しないときは天板を閉じておくことで通常は事務所に置いておくことでテーブルとしても役立ち、非常に使い勝手がよい。
【発明を実施するための最良の形態】
【００２６】
以下、本発明に係る硬貨計数装置の実施形態を図面に示した実施例を参照して詳細に説明する。本願では硬貨とは、コインは勿論、メダル、トークン等の円盤状のものを含むものとする。
【実施例１】
【００２７】
図１は硬貨計数装置の正面斜め上からのパースの付いた図である。
硬貨計数装置１は、幅４０ｃｍ、奥行６０ｃｍ、高８０ｃｍほどの寸法である。キャビネット２は、直方体の縦の各辺を斜めにカットした縁２ａとなっており、板金で作られている。キャビネット２の左側面の中段には斜め上方に向けてコ字状にハンドル３が取付けられている。該キャビネット２の上面には略長方形の天板４が水平に取りつけられており、天板４は中央部分で左右に分割されており、左側の天板４ａが蝶番５で右側に開閉することができる。
【００２８】
キャビネット２の正面には長方形のドア６が設けられ、鍵穴６ａに図示しない鍵を差し込み手前右側に引くことでドアの右側辺に取り付けた兆番７により開くことができる。
また、キャビネット２の底面には四方４ケ所にキャスタ８が回転自在に取り付けてあり、ハンドル３を手で押すことで、キャビネット２を移動することができる。
【００２９】
キャビネット２の幅が４０ｃｍであることから、４０ｃｍ以上の幅がある通路ならどこへでも押して移動することが可能となっている。
このように硬貨計数装置１の外観は略方形のキャビネット２にハンドル３と底にキャスタが付いているすっきりした形となっており、普段は事務所でテーブルとして使用できるので、保管場所に困らない。
【００３０】
図２は硬貨計数装置の天板とドアを開けた斜視図を示す。硬貨計数装置１はハンドル３側の天板４ａを開くことができる。キャビネット２の縦の各辺が斜めにカットした縁２ａとなっており、天板４の四済みはキャビネットのカットした縁２ａに対し丸みが設けてある。従って天板４ａの下隅に手入れて丸みの部分を持ち上げ、天板４ａを兆番５により右側に回転させ反対側の天板４ｂに水平に重ね、開くことができる。
【００３１】
天板４ａを開けると、キャビネットの平面に合致する略Ｄ字の中に縦長方形の穴を有する枠板９に左側に硬貨投入口１０が取り付けてある。さらに枠体９には硬貨投入口１０と天板４ｂとの間には操作卓１１が配されている。
硬貨投入口１０は上方へ取り外し可能であり、硬貨投入口１０の内部には操作卓寄りに断面山形の棟棒１０ａが架設してある。
【００３２】
この構造は硬貨を投入する際に多量の硬貨が一機に硬貨投入口１０に投入されることによる硬貨詰まりを防ぐために少しずつ硬貨が投入されるように設けてある。また、硬貨投入口９に手を入れて怪我をするのを防止している。
【００３３】
ドア６を開くと、キャビネット内は中央で天板の分割線に沿った仕切壁２０で仕切られており、右側が計数した集金袋を一時保管する保管エリア２１となっており、左側が集金した硬貨を計数し、集金袋に順次収納する作業が行われる作業エリア２２となっている。
【００３４】
図３は硬貨計数装置の天板を開けた平面図を示す。該硬貨投入口１０は鍔１０ｂを有する箱状になっており、底は斜面１０ｃになっており、該斜面１０ｃは右後方寄りの位置に縦長方形の開口１０ｄに至っている。硬貨投入口１０に投入された硬貨は斜面１０ｃを滑り開口１０ｄからさらに落下することができる。
【００３５】
操作卓１１はハンドル３側からみて左側（図３では上側）からヒューズ１２、コインのカウント枚数を表示するカウント表示部１３、バッテリーの充電状態を知らせるバッテリーメータ１４、電源スイッチ１５、モード切替表示部１６、モード切替スイッチ１７、計数開始スイッチ１８、リセット／計数停止スイッチ１９が配置されている。
【００３６】
図４は硬貨計数装置の正面側からみた内部構造図であり、図５は図４の一点鎖線部からみた平面図であり、図６は硬貨計数装置の左面側からみた内部構造図である。
天板４ａを開けると、左側に硬貨を投入する長方形の開口を有する硬貨投入口１０が設けられており、天板４ｂ側には操作卓１１が配されている。
硬貨投入口１０は横棒１０ａ手に持って上に引き抜くことで枠板９より取り外し可能となっている。
【００３７】
硬貨投入口１０は箱状で、上の四辺には鍔１０aが周囲に設けられ、鍔１０ｂにより枠体９に保持されている。硬貨投入口１０の底は右後方寄りに各側面から下り斜面１０ｃが形成され、該右後方位置には縦長方形枠が開口１０ｄとして設けてある。
作業エリア２２にはキャビネット中段に水平に配した取付板２３でさらに仕切られている。取付板２３の中央にはコイン払出機２４が取付けてある。コイン払出機２４は、高さ１６ｃｍ、幅９ｃｍ、奥行き１４ｃｍほどであり該硬貨投入口１０の開口１０ｄ真下に位置する。
【００３８】
コイン払出機２４の上部は長方形の開口を有する貯留部２４aがあり、開口の形作る４辺は硬貨投入口の開口１０ｄよりやや大きく、該開口１０ｄを内側に納めることができる。これにより硬貨投入口１０に投入される硬貨をこぼすことなく、貯留部２４ａに落下させることが可能となっている（図４、６参照）。
【００３９】
貯留部２４aの底には図５に示す様に手前斜め上に傾斜して円盤２４ｂが設けてある。円盤２４ｂは円盤内の同一半径上に硬貨の大きさに見合う開口２４ｃを複数設けてあり、円盤２４ｂに直結したモータにより、該円盤２４ｂを回転して貯留部２４ａ内の硬貨をかき混ぜながら開口２４ｃに一枚ずつ落とし込み、排出口２４ｄへ押し上げて排出する構造となっている。排出口２４ｄには図示しないセンサーが設けてあり、排出する硬貨を一枚ずつ計測することができる。
【００４０】
貯留部２４aの長辺側の下方にコイン払出機２４のブラケット２４ｅが取り付けらており、排出口２４ｄが正面側になるようにして取付板２３の中央に固定されている。これにより位置的には硬貨投入口の開口１０ｃが貯留部２４ａに納まり、排出口２４ｄは取付板２３からの高さが１０ｃｍ程度になっており、硬貨が斜め下に向けて排出される構造となっている。
【００４１】
コイン払出機には、旭精工株式会社製のコインペイアウトホッパーのモデルＳＨ−４００を採用としている。
この製品はコンパクト、ローコスト、メンテナンス性の向上を目標に作り上げた小型の製品であり、コネクタや貯留部の取付け、取外しがワンタッチでき、１００円硬貨では約５５０枚の収納ができ、分速３６０枚以上で硬貨を排出することができる。
【００４２】
コイン払出機２４は、図６の左側面図に示すように取付板２３の下側後方にある電源室３０から電源の供給を受けて駆動される。電源室３０の下側にはバッテリー３１を収納するバッテリーボックス３２が箱体状に設けてあり、バッテリ−ボックスの上側には該バッテリー３１を充電する充電装置３３が取り外し可能に配置されている。
【００４３】
充電装置３３を保持するためにバッテリーボックス３２の正面上側及左側面上側から保持片３３ａ、３３ｂが切欠きされ上側に折曲されて延出しており、さらに充電装置３３の上面を押さえる押さえ片３３ｃが仕切壁２０側から横設されている。充電装置３３からはキャビネットの外部に図４に示すように電源コード３４が出ており、バッテリー３１の充電を行うことができるようになっている。
【００４４】
図７に硬貨計数装置の回路図と操作卓の平面図を示す。硬貨計数装置は、使用開始する前にバッテリー３１を充電する必要があり、充電装置３３の電源コード３４を一般の電源コンセントにさし込み、充電装置３３は交流電源を直流に変換して１２Ｖのバッテリー３１に充電する。バッテリー３１はヒューズ１２を介してコイン払出機２４に接続されるとともに、電源スイッチ１５に接続されている。
電源スイッチ１５を閉じることで、バッテリー３１から充電電流がバッテリーメータ１４に入り、バッテリー３１の充電容量がチェックされる。このバッテリーメータ１４でのチェックの結果、バッテリー３１の充電容量が足りない場合は充電装置３３を用いて再充電が必要となる。
【００４５】
バッテリーメータ１４で正常動作に必要な充電容量が確認されたならば、硬貨計数装置を正常に動作させることができ、この充電電源はＤＣ−ＤＣコンバータ３５に入り制御回路３６を正常動作せるために直流を昇圧して供給する。
制御回路３６にはモード切替スイッチ１７、計数開始スイッチ１８、リセット／計数停止スイッチ１９が接続されており、コイン払出機２４に計数動作の制御信号を送るとともに、コイン払出機２４での硬貨の払出をセンサーにて検知してその検知信号を基に、カウント表示部１３に硬貨の計数枚数を表示する。
【００４６】
モード切替表示部１６では、集金袋の大きさにあわせて、集金袋に入れる硬貨の枚数を１０００枚、２０００枚、３０００枚、・・・というように計数単位をモード切替スイッチ１７を押すことでモード設定することができる。
例えばモード切り替えスイッチ１７で１０００枚モードに設定しておき、計数開始スイッチ１８を押すと、コイン払出機２４は硬貨を計数しカウント表示部１３に計数枚数を表示する。
一つの集金袋の硬貨が計数された後、次の硬貨を入れる前にリセット／計数停止スイッチ１９を押すことで、カウント表示部１３をゼロに戻すことができる。このようにしてモード切替表示部１６に設定した枚数に到達したなら、コイン払出機２４は停止する。この例では１０００枚の硬貨がカウントされる。
【００４７】
図８は作業エリアの透過斜視図を示し、図９は集金袋の取付体への取り付け説明図である。以下、適宜図５、図６をも参照しながら説明する。
取付板２３にはコイン計数機の排出口２４ｄの真下位置から、取付板２３の正面側にかけて直径1３cmほどの丸い開口４０を設け、開口４０は取付板の正面側に達する幅３ｃｍほどの切欠４１が設けてある。開口４０の上側には高さ３ｃｍほどの円筒に前記切欠４１に連なる切割４２ｂを設けた取付体４２が立設されている。
【００４８】
取付体４２には、白太の矢印で示す通り集金袋４３を口を閉じたまま切欠４１から取付体４２の切割４２ｂから開口４０に差込む。
そして集金袋４３の口４３ａを開き取付体４２の上縁４２ａで折返して仮留めすると、開いた口４３ａを有する袋状になる。
集金袋４３は麻等の強靭な布を貼り合わせて袋状に作られている。通常よく使われる集金袋４３は、Ａ４判程度の大きさの布を縦にして上だけを開放して縫合して上に開口を縛る紐４３ｂを取りつけた袋である。
【００４９】
取付体４２は切割４２ｂを有する円環であり、集金袋の開口を開き被せることで、集金袋４３は丸く口を開くことが出来る。この袋の開いた口４３ａは周囲４０ｃｍほどになり、前記開口４０の取付体４２の円周に合致する。これにより取付体は集金袋を最大限に開くことができるのである。
【００５０】
取付体４２に集金袋４３の開いた口４３ａの上端を折り返して仮止めしておき、集金袋の上から該取付体４２に合致する保持体４４を一点鎖線で示すように被せるのである。
この保持体４４は硬質樹脂製であり、外径14ｃｍ、内径11ｃｍ、高さ2ｃｍの円環体であり、円環部の下面から取付体の径に合わせて有底の逆Ｖ字溝４４ａが円環の円周に沿って設けてある。逆Ｖ字の有底の深さは1.5ｃｍで底の幅は円環部の厚みと同等または多少広くなっている。
従って保持体４４を集金袋の上から取付体４２に被せることで、集金袋４３をしっかりと取付体４２に固定することができる。
【００５１】
集金袋４３は麻等の丈夫な厚手の布であるので、取付体４２に折り返して被せることにより取付体４２の円環壁の両側に布が位置することになり、その厚みは円環壁と布２枚分の厚みとなっている。
【００５２】
この上に保持体４４を被せることで、保持体の有底の逆Ｖ字溝４４ａが円環壁に押し込まれ、この際に逆Ｖ字の斜面で、円環壁と集金袋の布をくさび状に挟み込むことができる。保持体４４を上側から押えつけることで、保持体の逆Ｖ字溝４４ａの斜面が取付体４２の円環壁の両側に位置する布を厚み方向に押えつける。
これにより集金袋４３の開口を円環の切割４２ｂを除いた全周囲にわたり、はさみ込むことができるのである。
この際に、保持体４２を水平に保つことで、集金袋４３を開口の全周にわたり均等に押さえ付けることができ、保持体４４の取り付け状態は目視しながら水平になっているかどうか確認でき、非常に簡単に集金袋４３を固定することができる。
【００５３】
保持体４４はコイン払出機２４の排出口２４ｄの真下に円環が位置し、コイン払出機２４で計数された硬貨は排出口２４ｄが下斜め正面側に向かって傾斜していることからちょうど保持体４４の円環の中央めがけて落ちてくるのである。硬貨個々の重さや硬貨個々の形状は、多少は不均一である場合があり、落下の軌跡は同一とはならないが、確実に保持体４４の円環の内部に落ちることが実験で確かめられている。
落下途中に排出口２３ｄに引っ掛かり次の硬貨に押されて出てくる場合でも、さらに硬貨同志が衝突しあってもその落下する範囲は保持体４４で囲まれた平面内の円環の内部となっている。
【００５４】
従って、コイン払出機の排出口２４ｄと保持体４４の間には通常に硬貨が排出される分には確実に保持体４４の直径11ｃｍの円の中に入ることになる。より確実にする場合では保持体４４にさらに壁を立設するのでもよい。あるいはコイン払出機の排出口２４ｄに漏斗状の袋を設けて確実に保持体４４に硬貨が落下するようにしてもよい。
【００５５】
取付板２３の手前下側には正面側が取付体４２に嵌めた集金袋４３がぶら下がる集金袋室４５となっている。右側の中央の仕切壁２０と左側の縦壁４６間には集金袋４３を受ける棚４７を水平に取り外し可能に載置することができる受け体２０ａ、４６ａがそれそれ水平位置に対向して設けてある。この高さ位置は前記した集金袋４３の底面を支えることができる高さである。
【００５６】
この構造により集金袋４３は取付体４２にほぼ全開状態で袋を開口し、袋の底もそれに応じて開くことが可能となる。従って開口から硬貨が落下して集金袋の中に蓄積しても袋の中では硬貨が均一に散らばることができ、蓄積途中で袋が十分に広がらずに袋の外へはみ出してしまうことがない。
【００５７】
さらに底の深い集金袋の寸法に合わせて、更に低い位置に受け体２０ｂ、４６ｂがそれぞれ仕切壁２０と縦壁４６の水平位置の対向する位置に取りつけてあり、集金袋の深さに合わせて、前記棚４７を取り外して、対応する位置に置くことができる。受け体２０ｂ、４６ｂはキャビネットの底から上側にあり、受け体２０ｂ、４６ｂの下側の空間は、未使用の集金袋を保管しておく、未使用袋保管室４５ａとなっている。
【００５８】
図１０はサービスドアを開けて作業室に集金袋を取りつけた状態を示しており、
図１０（Ａ）は棚の位置を高くして通常の集金袋を取りつけた状態を示しており、図１０（Ｂ）は棚の位置を低くして底の深い集金袋を取りつけた状態を示す。
【００５９】
図１０（Ａ）に示す場合では、通常の集金袋４３、ここでは、１００円玉換算で２０００枚、２０万円分が入る袋を用いている。
集金袋４３を開口部を折り返して取付体４２に取り付け保持体４４を被せ、棚４７置を上段にして集金袋４３の底を保持することで、硬貨が収納されるにつれて集金袋４３が重くなっても、取付体４２から集金袋４３がずれ落ちることを防止することができるのである。
【００６０】
図１０（Ｂ）に示すように、さらに底の深い集金袋４３Ｌを用いる際には、棚４７を上段から取り外して、下段に取りつけることで、深い集金袋４３Ｌでも底部を保持することができ、硬貨が収納されることで、袋が重くなり、取付体４２からずれ落ちたり、袋が破けることを防止できるのである。
【００６１】
本願の硬貨計数装置を用いて集金する場合について説明する。まず集金者は、集金するためのメータカードを点検し、全てのメータカードがあることと、集金用の集金袋が必要枚数あることを確認する。次に集金者は本硬貨計数装置の電源スイッチ１５を入れて、バッテリー容量をバッテリーメータ１４を見てチェックする。
そして、集金の準備が整ったなら、集金者は必要な枚数分の集金袋を本硬貨計数装置の作業エリア２２の下段の未収金袋室４５ａに収納する。さらに集金袋４３を取付体４２に被せ開口４３ａを折り、上から保持体４４を被せて集金袋を保持するとともに、集金袋の底位置に棚４７を取りつけ、ドア６を閉める
さらにモード切替スイッチ１７で、取り付けた集金袋の大きさに見合う硬貨数の設定数をモード表示切替部16に表示して集金準備が整う。
【００６２】
集金者は、硬貨計数装置のハンドル３を押して集金対象の機械の近くへ移動させ、集金対象の機械のサービスドアを開き、メータを読み取り、メータをメータカードに書き取り、機械のキャッシュボックスを取り出して、本硬貨計数装置の硬貨投入口１０に開け、操作卓のカウント表示部１３がゼロになっていることを確かめ、計数開始スイッチ１８を押すことで硬貨の計数が始まる。硬貨計数している間にキャッシュボックスを機械に戻し、機械のドアを閉める。
【００６３】
そして投入した硬貨の計数が終了したなら、コインカウンタの数字を読んでメータカードを天板４ａ上に置いて記載する。そしてメータカードに集金金額を記載した後に、リセット／計数停止スイッチ１９を押してカウント表示部１３の数字をゼロに戻し、最初の機械の集金が終了する。以下、同様に集金を繰り返す。そして集金途中で、モード切替スイッチで設定した枚数に到達したなら、硬貨計数動作が自動的に止る。
【００６４】
そこで集金者は硬貨計数装置のドア６を開き、保持体４４を取り外し、集金袋の折り曲げた開口４３ｂを戻し、取付体４２から外し集金袋４３の口を萎めて取付体の切割４２ｂから集金袋４３を手前に水平に引き出して取り外す。この際に集金袋には硬貨が袋の８分目に入っており、集金袋の上は萎めることができ、前記切割４２ｂに連なる切欠４１を通して水平に取出すことができるのである。
集金袋を水平に引くに際して棚４７で集金袋４３の底を支えながら引き出すので、集金袋４３の重さで集金袋自体を落すことがない。
【００６５】
そして取出した集金袋は紐４３ａで袋の口を縛り封印することでモード設定した枚数の硬貨の集金袋が完成する。この封印した集金袋を保管エリア２１に入れて、集金室４５の下段の未使用集金袋室４５ａに収納してある空の集金袋を取付体４２に取り付け、保持体４４を被せて、次の集金準備を整え、ドア６を閉め、計数開始スイッチ１８を押すことで、計数途上で止っていたカウント表示部１３の数字から計数を開始する。
【００６６】
以後、全ての機械の集金が終了するまでこの作業を繰り返し、全ての集金が終えたなら事務所に戻り、バッテリーの充電をするために電源コードをコンセントにさし込み次回の集金のための準備をしておく。
集金者は記載し終えた各機械のメータカードを基にして集金伝票を作成する。
【００６７】
上記説明では、リセットスイッチを押すことで、カウンタ表示はゼロになるので、次の集金の計数をするために計数開始スイッチを押す必要があるが、コイン投入部の排出するほうの開口にセンサを設けておき、リセットスイッチが押された後にコインを通過した際には、自動的に計数開始をするようにしてもよい。
【００６８】
さらに本硬貨計数装置にプリンタを設けておき、硬貨計数動作毎に常時、計数数字をプリントして記録紙に残してもよい。これにより、メータカードの記載ミス等があれば伝票作成時に発見することが容易である。
【００６９】
上記説明では円環に切割を設けた断面Ｃ字の取付体を取付板に取りつけてあるが、この働きをするものであれば以下のようなものでもよい。
上記実施形態の説明では集金袋を固定するための取付体を円弧体としたが、円弧体に限らず、多角形枠体や下部が開口した逆円錐体、下部が開口した楕円錐の正面に切割を有するものとしてもよく、その場合でも上面は立設した周囲とすることで、保持体もその形状に合わせて下部に溝がある構造として、集金袋の口を折り返して保持するようにしてもよい。
【００７０】
図１１は取付体としてにＣ字リングを採用した例を示す。ここでは取付板２３の開口４０の上に鉄棒を曲げてＣ字状の切割リング４２ｃにしてリング面を平面に置き切割リング４２ｃの一方の端または、両端から下方に脚が設けてある。取付板２３に固定されていても、Ｃ字状の切割リング４２ｃに集金袋を折り返して仮止めした後に、保持体を被せることで、上記した本願の説明通りの効果を得ることができる。この場合Ｃ字状のリング４２ｃは集金袋の重さに十分耐えられる強度を有する。
【００７１】
また、保持体４４は円環体の円環に有底の逆Ｖ字溝を全周囲にわたり設けているが、逆Ｖ字以外にも電気抵抗の単位文字であるギリシャ文字のオーム状の溝４４ｂとしてもよく、鉄棒を挟みこむ際にクリック感が得られ、確実に挟みこめたかどうかが判りやすく、外れずらくなる。
【実施例２】
【００７２】
図１２は保持体としてベルト体を採用した実施例である。円環状の保持体の代わりとして、取付板２３に設けられた取付体４２に集金袋の口を折り返して仮止めした後に、一端にバックル４８ａを取り付け、他端に爪４８ｂを設けたスチール製や布製のベルト体４８を取付体４２の周側面に回して集金袋の折り返し部を締め付けて固定する方式としてある。この場合はベルト体４８が取付体４２にしっかりと固定しやすくするために、保持体の上部に外方に向けた鍔４２ｂを設けることで、ベルト体４８が取付体４２から上にずれて外れることを防止することができる。
【実施例３】
【００７３】
図１３は保持体としてクランプ体を採用した実施例である。これは取付体４２に集金袋の口を折り返して取り付けた後に、複数のクランプ体４９を用いて集金袋を取付体４２の側面からレバー４９ａを倒してクランプ機構により押付片４９ｂで押圧することで集金袋を固定してもよい。この場合はクランプ体４９は取付体４２に対し均等に幾つか取りつけることで集金袋を固定したほうが集金袋がずれ落ちることがない。
【実施例４】
【００７４】
図１４には取付体としてリング体を採用した実施例を示す。第１実施例では取付体から規定金額の硬貨が収納された集金袋を取り外すために円筒の取付体に切割及びその取付板に該切割に連なる切欠を設けて、手前に水平に引き出すようになっているが、この場合に取付体の円筒の高さは保持体を被せて保持する機能があれば十分なので、切割のない短円筒としてもよい。この場合には、規程金額が収納された集金袋は袋の略８分目に硬貨が収まるので、規程金額に到達したら、短円筒から袋の上部を外して、円筒の下側から取り外してもよい。この方式に最適な例としては、鉄棒でリング５０を構成し、リングから該リングを支える脚が下側に設けてリング５０がしっかりと取付板２３に固定されていればよい。
【００７５】
本願発明では、以上説明したとおり、ハンドルを押して移動する硬貨計数装置としてあるので、多数の硬貨動作式機械の各々からの集金作業が、その場に硬貨計数装置を押して持って行くことで可能となる。そして、その場で集金対象の機械のメータカードに機械内に設置してあるメータを記入するとともに、その場で機械のキャッシュボックスを硬貨投入口に開けるだけで、硬貨を計数することができる。
従って従来のようにいちいち集金袋を機械の台数分用意して、事務所に運びこむという労働から開放され、集金業務を効率良く行うことができる。これにより大量の集金袋を事務所に運び込むという作業は軽減され、さらに集金袋を事務所に運び込む際に忘れないように気を使うということから開放される。
【００７６】
さらに、本発明の硬貨計数装置は、単一の種類の硬貨のみを計数するように構成してあるため、複数種類の貨幣を計数する装置に比し、単価が安く、しかもコンパクトにできており、集金袋の取り替えが非常に簡単にできるので、スピーディな現金回収作用ができるのである。
従来、集金袋を事務所に集めて計数していた場合に比して、集金スタイルをラウテング方式にするとともに、何ら新たな装置を機械側に取り付けることなく、集金業務を効率化が可能となる。
【産業上の利用可能性】
【００７７】
本願発明の硬貨計数装置は、移動式としてあるので、店内に複数の硬貨式動作装置がある場所、例えば、パチンコ店舗では単一硬貨の集金のみに利用したり、大型のコインランドリーでの集金等、いろんな場所で手軽に使うことができる。
また、移動式とはせずに固定式としても利用可能であり、上部が平らな天板であることから普段は事務所で机としても使え保管場所に困らず、いろんな用途にも適用できる。
【図面の簡単な説明】
【００７８】
【図１】硬貨計数装置の正面斜め上からのパースの付いた図である。
【図２】硬貨計数装置の天板とドアを開けた斜視図である。
【図３】硬貨計数装置の天板を開き硬貨投入口を取り除いた平面図である。
【図４】硬貨計数装置の側面側からみた内部構造図であり。
【図５】図４の一点鎖線部からみた平面図である。
【図６】硬貨計数装置の左面側からみた内部構造図である。
【図７】硬貨計数装置の回路図である。
【図８】作業エリアの透過斜視図である。
【図９】集金袋の取付体への取り付け説明図である。
【図１０】サービスドアを開けて作業室に集金袋を取りつけた状態である。
【図１１】取付体にＣ字リングを採用した図である。
【図１２】保持体としてベルト体を採用した図である。
【図１３】保持体としてクランプ体を採用した図である。
【図１４】取付体としてリング体を採用した図である。
【符号の説明】
【００７９】
１…硬貨集計装置
２…キャビネット
３…ハンドル
４…天板
５…兆番
６…ドア
７…兆番
８…キャスタ
９…枠板
１０…硬貨投入口
１１…操作卓
１２…ヒューズ
１３…カウント表示部
１４…バッテリーメータ
１５…電源スイッチ
１６…モード切替表示部
１７…モード切替スイッチ
１８…計数開始スイッチ
１９…リセット／計数停止スイッチ
２０…仕切壁
２１…保管エリア
２２…作業エリア
２３…取付板
２４…コイン払出機
３０…電源室
３１…バッテリー
３２…バッテリーボックス
３３…充電装置
３４…電源コード
３５…ＤＣ−ＤＣコンバータ
３６…制御回路
４０…開口
４１…切欠
４２…取付体
４３…集金袋
４４…保持体
４５…集金袋室
４６…縦壁
４７…棚
４８…バンド体
４９…クランプ体
５０…リング体
【図１】
2005128974.tif 000003
【図２】
2005128974.tif 000004
【図３】
2005128974.tif 000005
【図４】
2005128974.tif 000006
【図５】
2005128974.tif 000007
【図６】
2005128974.tif 000008
【図７】
2005128974.tif 000009
【図８】
2005128974.tif 000010
【図９】
2005128974.tif 000011
【図１０】
2005128974.tif 000012
【図１１】
2005128974.tif 000013
【図１２】
2005128974.tif 000014
【図１３】
2005128974.tif 000015
【図１４】
2005128974.tif 000016